(57)【要約】      （修正有）【課題】パネルを格納する際の操作性向上を可能とした間仕切りを提供する。【解決手段】パネル２ａがレール３に沿って移動可能であり、かつ、パネル面がパネルの移動方向と交差する格納方向に回転可能な間仕切りであって、パネル２ａが、移動方向に沿う横框１２ｃの中央位置で、レール３を走行するランナ５によって支持され、ランナ５は、移動方向における一方に位置する壁部６に設けられたウェイト３１と接続され、同方向に引っ張られており、閉状態にあるパネル２ａが矢印Ｄ１方向に押されたときにランナ５が壁部６に対して近接する引っ張り方向に移動されることで、パネル２ａが格納方向に回転される。【選択図】図２
2020197063.tif 000002
【特許請求の範囲】
【請求項１】
パネルがレールに沿って移動可能であり、かつ、パネル面が前記パネルの移動方向と交差する回転方向に回転可能な間仕切りであって、
前記パネルが、前記移動方向に沿う横縁部の中央位置で、前記レールを走行するランナによって回転可能に支持され、
前記ランナは、前記移動方向における一方に位置する壁部に設けられた荷重付与部材によって引っ張られており、
閉状態にある前記パネルが前記回転方向に押されたときに前記ランナが前記荷重付与部材によって前記壁部に対して近接する方向に引っ張られ移動されることで、前記パネルが回転される
間仕切り。
【請求項２】
前記荷重付与部材は、前記壁部の内側において、上下方向に移動可能なウェイトであって、伝達部材を介して前記ランナと接続されている
請求項１に記載の間仕切り。
【請求項３】
前記レールは、上部レールであって、
前記ランナと前記ウェイトとの間であって、前記壁部の上端部に、前記ランナから延びる前記伝達部材の経路を前記ウェイトの位置する方向に変更する経路変更部材が配置されている
請求項２に記載の間仕切り。
【請求項４】
前記横縁部は、前記レールが備えるレール開口に対して係脱可能なラッチ部材を備えている
請求項１ないし３のうち何れか１項に記載の間仕切り。
【請求項５】
パネルが主レールに沿って移動可能であり、かつ、パネル面が前記パネルの移動方向と交差する回転方向に回転可能な間仕切りであって、
前記パネルが、前記移動方向に沿う横縁部の中央位置で、前記主レールを走行するランナによって回転可能に支持され、
前記横縁部における前記中央位置よりも前記上下方向に延びる一方の縦縁部に偏った位置に設けられた案内部材が、前記主レールおよび前記主レールと交差する方向に延びる補助レールを移動可能であり、
前記案内部材は、前記主レールから前記補助レールが分岐する保持位置で前記パネルを閉状態を保持し、前記パネルは、前記案内部材が前記保持位置から前記補助レールに移動されることで前記回転方向に回転される
間仕切り。
【請求項６】
前記主レールは、主レール開口を備え、
前記主レール開口は、前記ランナから延びる前記パネルを回転可能に支持する支軸が挿通されており、
前記補助レールは、前記主レール開口と連続する補助レール開口を備え、
前記案内部材は、前記主レール開口と前記補助レール開口に係合される
請求項５に記載の間仕切り。
【請求項７】
前記ランナは、前記補助レールを移動しない
請求項６に記載の間仕切り。
【請求項８】
前記案内部材は、前記保持位置に設けられた被係合部に係合される係合部を備える
請求項５ないし７のうち何れか１項に記載の間仕切り。
【発明の詳細な説明】
【技術分野】
【０００１】
本発明は、パネルがレールに沿って移動可能であり、かつ、パネル面が壁面と平行となる格納方向に回転可能な間仕切りに関する。
【背景技術】
【０００２】
従来、クローゼット等の扉あるいは室内空間を適宜に区画する間仕切りとして使用される間仕切りは、上部レールに沿って移動する上部ランナでパネルを移動可能に支持している（例えば特許文献１参照）。パネルは、閉方向における壁面において、パネル面がパネルの移動方向と直交する格納方向に回転され、さらにパネル面を壁面に近接させるように移動される格納状態とされる。
【先行技術文献】
【特許文献】
【０００３】
【特許文献１】実開昭６１−２２８７６号公報
【発明の概要】
【発明が解決しようとする課題】
【０００４】
パネルを格納状態にするには、パネルを回転させる操作と、パネル面を壁面に近接させる操作とが必要である。
本発明の目的は、パネルを格納する際の操作性向上を可能とした間仕切りを提供することである。
【課題を解決するための手段】
【０００５】
上記課題を解決するための間仕切りは、パネルがレールに沿って移動可能であり、かつ、パネル面が前記パネルの移動方向と交差する回転方向に回転可能な間仕切りであって、前記パネルが、前記移動方向に沿う横縁部の中央位置で、前記レールを走行するランナによって回転可能に支持され、前記ランナは、前記移動方向における一方に位置する壁部に設けられた荷重付与部材によって引っ張られており、閉状態にある前記パネルが前記回転方向に押されたときに前記ランナが前記荷重付与部材によって前記壁部に対して近接する方向に引っ張られ移動されることで、前記パネルが回転される。
【０００６】
上記間仕切りにおいて、前記荷重付与部材は、前記壁部の内側において、上下方向に移動可能なウェイトであって、伝達部材を介して前記ランナと接続されている構成としてもよい。
【０００７】
上記間仕切りにおいて、前記レールは、上部レールであって、前記ランナと前記ウェイトとの間であって、前記壁部の上端部に、前記ランナから延びる前記伝達部材の経路を前記ウェイトの位置する方向に変更する経路変更部材が配置されている構成としてもよい。
【０００８】
上記間仕切りにおいて、前記横縁部は、前記レールが備えるレール開口に対して係脱可能なラッチ部材を備えている構成としてもよい。
上記課題を解決するための間仕切りは、パネルが主レールに沿って移動可能であり、かつ、パネル面が前記パネルの移動方向と交差する回転方向に回転可能な間仕切りであって、前記パネルが、前記移動方向に沿う横縁部の中央位置で、前記主レールを走行するランナによって回転可能に支持され、前記横縁部における前記中央位置よりも前記上下方向に延びる一方の縦縁部に偏った位置に設けられた案内部材が、前記主レールおよび前記主レールと交差する方向に延びる補助レールを移動可能であり、前記案内部材は、前記主レールから前記補助レールが分岐する保持位置で前記パネルを閉状態を保持し、前記パネルは、前記案内部材が前記保持位置から前記補助レールに移動されることで前記回転方向に回転される。
【０００９】
上記間仕切りにおいて、前記主レールは、主レール開口を備え、前記主レール開口は、前記ランナから延びる前記パネルを回転可能に支持する支軸が挿通されており、前記補助レールは、前記主レール開口と連続する補助レール開口を備え、前記案内部材は、前記主レール開口と前記補助レール開口に係合される構成としてもよい。
【００１０】
上記間仕切りにおいて、前記ランナは、前記補助レールを移動しない構成となる。
上記間仕切りにおいて、前記案内部材は、前記保持位置に設けられた被係合部に係合される係合部を備える構成としてもよい。
【発明の効果】
【００１１】
本発明によれば、パネルを格納する際の操作性を向上することができる。
【図面の簡単な説明】
【００１２】
【図１】（ａ）〜（ｈ）は間仕切りの平面図。
【図２】（ａ）は第１実施形態における間仕切りの正面図、（ｂ）は平面図、（ｃ）は側面図。
【図３】第１実施形態における間仕切りのパネルを格納状態へと遷移させる途中の状態を示す平面図。
【図４】第１実施形態における間仕切りにおいて、パネルの格納状態を示す平面図。
【図５】（ａ）は第２実施形態における間仕切りの正面図、（ｂ）は平面図、（ｃ）は側面図。
【図６】第２実施形態における間仕切りのパネルを格納状態へと遷移させる途中の状態を示す平面図。
【図７】第２実施形態における間仕切りにおいて、パネルの格納状態を示す平面図。
【図８】第２実施形態の変形例を示す平面図。
【図９】第２実施形態の変形例を示す平面図。
【発明を実施するための形態】
【００１３】
以下、本発明が適用された間仕切りについて図面を参照して説明する。
図１（ａ）に示すように、間仕切り１は、パネル２ａと、パネル２ｂと、パネル２ｃとを備えており、これらパネル２ａ〜２ｃは、レールである上部レール３に吊り下げられている。なお、ここでの間仕切り１は、パネル２ａとパネル２ｂ、および、パネル２ｂとパネル２ｃが独立しており、一方のパネルの移動に伴って他方のパネルが連動して移動する構成にはなっていない。すなわち、パネル２ａとパネル２ｂ、および、パネル２ｂとパネル２ｃは、蝶番などで連結されていない。
【００１４】
間仕切り１は、閉じた閉状態では、一本の上部レール３にパネル２ａ〜２ｃが一列に並んでおり、パネル２ａ〜２ｃが上部レール３に沿って移動しない状態、すなわち１つの空間を２つに仕切った状態にある。図１（ｂ）に示すように、通常、上部レール３の一端部側に位置するパネル２ａの位置は、間仕切り１によって仕切られた２つの空間の出入口４として用いられる。パネル２ａは、出入口４を閉扉した状態で、何れか一方の上下方向に延びる縦縁部が押されると、ランナ５の支軸を中心に回転される（矢印Ｄ１方向）。そして、図１（ｃ）に示すように、パネル２ａは、パネル面が移動方向に対して交差する状態とされ、図１（ｄ）に示すように、移動方向に対して直交する状態で壁部６の壁面６ａに近接するまで上部レール３に沿って移動される（矢印Ｄ２方向）。これにより、出入口４が開扉した状態となる。
【００１５】
間仕切り１で仕切られた２つの空間の仕切りを開放する場合は、図１（ｅ）に示すように、中央に位置する２枚目のパネル２ｂがランナ５の支軸を中心に回転され（矢印Ｄ１方向）、図１（ｆ）に示すように、パネル２ａと重なるまで上部レール３に沿って移動される（矢印Ｄ２方向）。さらに、図１（ｇ）に示すように、３枚目のパネル２ｃがランナ５の支軸を中心に回転され（矢印Ｄ１方向）、図１（ｈ）に示すように、２枚目のパネル２ｂと重なるまで上部レール３に沿って移動される（矢印Ｄ２方向）。
【００１６】
間仕切り１によって空間が仕切られた状態では、パネル２ａが出入口４の扉として使用されることから、他のパネル２ｂ，２ｃよりも高い頻度で開閉操作される。したがって、パネル２ａについては、その操作性の向上が望まれる。
【００１７】
〔第１実施形態〕
図２（ａ）〜（ｃ）に示すように、第１実施形態において、各パネル２ａ〜２ｃは、パネル板１１が上下方向に延びる縦縁部を構成する一対の縦框１２ａ，１２ｂおよび移動方向でもある横方向に延びる横縁部を構成する一対の横框１２ｃ（下側の横框は不図示。）によって保持されている。また、上側の横框１２ｃには、横方向の中央位置に上部レール３を走行するランナ５が固定されている。
【００１８】
ランナ５は、上部レール３を直進する直進性のランナであって、ランナ本体１６を備えている。ランナ本体１６には、４個の車輪１７が回転可能に支持されている。各車輪１７は、一例として、ボールベアリング付きの車輪であって、上部レール３内をほぼ上下動不能な状態で転動する。ランナ本体１６には、パネル２ａ〜２ｃの回転中心となる支軸１８の上端が固定され、その支軸１８は、横框１２ｃ内に配置された軸保持部材１９に保持されている。軸保持部材１９は、パネル２ａ〜２ｃの横框１２ｃにネジなどの固定部材で固定されている。支軸１８は、上部レール３に対してパネル２ａ〜２ｃを矢印Ｄ１方向および反矢印Ｄ１方向に回転可能に支持する。
【００１９】
パネル２ａ〜２ｃにおいて、ランナ５よりも反矢印Ｄ２方向の縦框１２ｂ側にラッチ部材１３を備えている。ラッチ部材１３は、横框１２ｃに対して上部レール３の方向に出没するラッチ部１３ａを備えている。ラッチ部１３ａは、弾性体によって上部レール３のレール開口２４と係合させる方向に付勢された球体などの突出部材であって、周囲よりも突出することで上部レール３のレール開口２４に係合するように構成されている。
【００２０】
ランナ５が走行する上部レール３は、前壁２１と、前壁２１と対向する後壁２２と、前壁２１と後壁２２とを繋ぐ上壁２３とを備えている。さらに、上部レール３の下面は、長手方向に沿って、支軸１８が挿通されるレール開口２４を備え、レール開口２４を挟んだ両側に、レール片２５を備えている。ランナ５は、上部レール３の内部に、長手方向に沿って移動可能に配置される。レール片２５は、ランナ５の車輪１７が転動するレールとなる。また、レール開口２４には、ラッチ部１３ａも係合される。
【００２１】
パネル２ａの矢印Ｄ２方向の縦框１２ａおよびパネル２ｃの反矢印Ｄ２方向の縦框１２ｂは、壁部６に突き当てられる。壁部６は、パネル２ａの縦框１２ａおよびパネル２ｃの縦框１２ｂが突き当てられる壁面框２６を備えている。壁面框２６は、壁部６において上下方向に延びる長尺の板状部材である。壁面框２６の端部は、上部レール３の端部と結合される。パネル２ａの縦框１２ａが突き合わされる壁面框２６の裏面側の空間部２７には、荷重付与部材としてのウェイト３１が上下方向に移動可能に配置される。ウェイト３１は、パネル２ａの移動を自重で可能とする重さを有した錘部材であって、空間部２７に収納可能な長尺な形状を有している。
【００２２】
空間部２７は、上下に延びる細長い空間であって、上側端部は、上部レール３の内部空間とも連通する。上部レール３の端部には、ワイヤ３２の経路を変更する経路変更部材としての滑車２８が配置されている。ランナ５とウェイト３１とは、伝達部材としてのワイヤ３２によって接続され、ワイヤ３２は、上部レール３内を通り、滑車２８に取り回されている。滑車２８は、ワイヤ３２の経路をほぼ９０°変更し、上部レール３の内部に延びるワイヤ３２の経路を空間部２７に延びるように変更する。ウェイト３１は、自重で下方に落下しようとすることで、パネル２ａのランナ５に対して、当該ランナ５を矢印Ｄ２方向に付勢する荷重を付与する。
【００２３】
次に、第１実施形態における間仕切り１の作用について説明する。
パネル２ａが出入口４を閉扉している状態において、パネル２ａは、ウェイト３１によって、矢印Ｄ２方向に付勢されており、矢印Ｄ１方向に位置する縦框１２ａは、壁面框２６に圧接された状態にある。そして、パネル２ｂ，２ｃも、パネル２ａと同一平面上に一列に並んだ閉状態にある。この状態において、パネル２ａは、ラッチ部材１３のラッチ部１３ａがレール開口２４に係合することによって、支軸１８を中心とした回転が阻止され、当該閉状態が維持されている。また、パネル２ｂ，２ｃも、ラッチ部１３ａがレール開口２４に係合することによって、当該閉状態が維持されている。
【００２４】
出入口４を開扉するには、パネル２ａにおけるランナ５の位置よりも縦框１２ａ，１２ｂの何れか一方に偏った位置を押圧する。図３では、反時計回（矢印Ｄ１方向）り押圧している。すると、ラッチ部１３ａがレール開口２４から外れる。次いで、パネル２ａは、ランナ５の支軸１８を中心に矢印Ｄ１方向に回転し始めるとともに、パネル２ａのランナ５は、ウェイト３１による荷重によって、矢印Ｄ２方向に移動し始める。
【００２５】
ランナ５がウェイト３１により引っ張られ矢印Ｄ２方向に移動しようとすることで、縦框１２ａは、壁面框２６から壁面６ａにかけて常に当接する。したがって、パネル２ａは、縦框１２ａが壁面６ａまたは壁面框２６に押されることで、支軸１８を中心に矢印Ｄ１方向に回転する。すなわち、パネル２ａは、ウェイト３１による荷重によって矢印Ｄ１方向に回転しながら矢印Ｄ２方向に自動的に直進する。パネル２ａは、矢印Ｄ２方向に対して直交する状態となるまで、支軸１８を中心に回転し、パネル面が壁面６ａと平行となった状態で、壁面６ａに当接される。これにより、図４に示すように、パネル２ａは、格納状態となり、出入口４が開扉した状態となる。なお、パネル２ａを回転する方向は、Ｄ１方向ではなく反矢印Ｄ１方向であってもよい。
【００２６】
なお、パネル２ｂ，２ｃを格納する場合は、各パネル２ｂ，２ｃが手動で矢印Ｄ１方向または反矢印Ｄ１方向に回転され、次いで、矢印Ｄ２方向にパネル２ａと重なるまで移動されることになる。これにより、壁面６ａと平行に、パネル２ａ〜２ｃが重なった状態で格納されることになる。
【００２７】
出入口４を閉扉するには、パネル２ａを反矢印Ｄ１方向に回転する。すると、縦框１２ａが壁面６ａで押されるようにして、ランナ５は、ウェイト３１による荷重に抗して反矢印Ｄ２方向に直進する。すなわち、パネル２ａは、反矢印Ｄ１方向に回転しながら反矢印Ｄ２方向に移動する。そして、パネル２ａは、パネル２ｂ，２ｃと同一平面を構成するように一列に並んだ閉状態となり、出入口４を閉扉する。閉状態は、ラッチ部１３ａがレール開口２４に係合することによって維持される。
【００２８】
以上、上記第１実施形態によれば、以下に記載する効果が得られる。
（１−１）出入口４を開扉する場合、操作者は、パネル２ａを押して支軸１８を中心に回転させるだけで、ウェイト３１による荷重によってパネル２ａが自ずと矢印Ｄ２方向に移動され、格納状態とされる。すなわち、パネル２ａを矢印Ｄ２方向に移動させる操作が不要となる。したがって、出入口４を開扉する際の操作性を向上することができる。
【００２９】
（１−２）ウェイト３１は、自重で、パネル２ａのランナ５に対して荷重を付与することができる。
（１−３）ウェイト３１は、壁面框２６の内側に配設されることで、ウェイト３１が露出することによる意匠の悪化を抑えることができる。
【００３０】
（１−４）滑車２８を設けることで、ワイヤ３２の経路を簡単な構成で変更することができる。
（１−５）パネル２ａは、ラッチ部材１３を備えることで、出入口４を閉扉した状態に維持することができる。そして、ラッチ部材１３は、ラッチ部１３ａをレール開口２４に対して容易に係脱することができる。
【００３１】
なお、上記第１実施形態は、以下のように変更して実施することもできる。
・ラッチ部材１３は、移動方向において、横框１２ｃの何れの位置に設けるようにしてもよい。すなわち、横框１２ｃにおいて、ランナ５に対して縦框１２ａに偏った位置に設けてもよいし、縦框１２ｂ側に偏った位置に設けてもよい。
【００３２】
・ラッチ部材１３は、全てのパネル２ａ〜２ｃに設けなくてもよい。例えば、パネル２ｂ，２ｃだけにラッチ部材１３を設け、パネル２ａにはラッチ部材１３を設けないようにしてよい。また、ラッチ部材１３は、下側の横框に設けるようにしてもよい。この場合、床面には、ラッチ部材１３が係合する孔などの係合孔が構成された部材が設けられることになる。
【００３３】
・パネル２ａ〜２ｃの矢印Ｄ１方向の回転を容易にするため、ラッチ部材１３を省略するようにしてもよい。
・パネル２ａのランナ５を矢印Ｄ２方向に引っ張る荷重付与部材は、ウェイト３１に限定されるものではない。例えば、コイルバネなどの弾性部材を空間部２７に配置し、コイルバネの一端部を壁部６や壁面框２６に係止し、他端部をワイヤ３２の端部に係止する。これにより、パネル２ａのランナ５を常に矢印Ｄ２方向に引っ張ることができる。
【００３４】
・荷重付与部材としては、スプリングワイヤを使用してもよい。この場合、スプリングワイヤを空間部２７に配置し、スプリングワイヤの一端部を壁部６や壁面框２６に係止し、他端部をパネル２ａのランナ５に係止する。これにより、パネル２ａのランナ５を常に矢印Ｄ２方向に引っ張ることができる。
【００３５】
・滑車２８、ウェイト３１およびワイヤ３２の構成は、パネル２ｃの側に設けてもよいし、パネル２ａとパネル２ｃの両方に設けてもよい。
・横框１２ｃの一端部には、経路変更部材として、滑車２８の代わりにワイヤ３２の経路を変更する案内曲面やガイド軸などを設けてもよい。
【００３６】
・間仕切り１は、下部レールを備えていてもよい。この場合、パネル２ａ〜２ｃには、下部レールに沿って走行する下部ランナが設けられる。パネル２ａ〜２ｃの荷重は、ランナ５、下部ランナの何れか一方または両方によって支持されることになる。そして、滑車２８、ウェイト３１およびワイヤ３２の構成は、パネル２ａの下部ランナに設けても同様な作用効果を得ることができる。
【００３７】
・パネル２ａ〜２ｃには、支軸１８を中心とした回転量を、上部レール３に沿う移動方向に対して９０°の範囲となるように、回転範囲を規制する規制部を設けるようにしてもよい。
【００３８】
・パネル２ａの縦框１２ａは、閉状態と格納状態との間で変化するとき、壁部６に接触する。そこで、縦框１２ａの接触部分には、ローラを設け、円滑に壁部６を移動できるようにしてもよい。
【００３９】
・格納状態におけるパネル２ａ〜２ｃの壁部６の壁面に対する角度は、壁面に平行ではなく、壁面に対して９０°以下の傾きを有していてもよく、例えば、壁面に対して若干の傾きを有していてもよい。傾きは、支軸１８の回転範囲を規定することによって、制御することができる。
【００４０】
〔第２実施形態〕
図５（ａ）〜（ｃ）に示すように、第２実施形態において、各パネル２ａ〜２ｃは、パネル板１１が上下方向に延びる一対の縦框１２ａ，１２ｂおよび移動方向でもある横方向に延びる一対の横框１２ｃ（下側の横框は不図示。）によって支持されている。また、上側の横框１２ｃには、横方向の中央に上部レールを構成する主レール４１を走行するランナ５が固定されている。なお、第２実施形態のランナ５も第１実施形態のランナ５と同様な構成を有するためその詳細は省略する。
【００４１】
パネル２ａ〜２ｃにおいて、横框１２ｃは、ランナ５よりも矢印Ｄ２方向の縦框１２ａ側に案内部材１４を備えている。ここでは、案内部材１４は、縦框１２ａに対して隣接する位置に設けられている。案内部材１４は、横框１２ｃに対してレール開口２４と係合する方向に弾性付勢された係合部１４ａを備えている。係合部１４ａは、弾性体によってレール開口２４と係合させる方向に付勢された球体などの突出部材であって、周囲よりも突出することでレール開口２４に係合するラッチ部材である。
【００４２】
ランナ５が走行する上部レールは、ランナ５および案内部材１４が移動可能な主レール４１と、案内部材１４が移動可能な補助レール４２とを備えている。補助レール４２は、主レール４１の一端部に接続されており、全体で、Ｌ字形状を構成している。Ｌ字形状のうちで主レール４１が長辺部に対応し、補助レール４２が短辺部に対応する。主レール４１および補助レール４２は、共に、同様な構成を有しており、また、第１実施形態の上部レール３と同様な構成を有している。補助レール４２は、壁部６に近接した位置に、主レール４１に対して直角となるように配置され、パネル２ａのパネル面が壁部６と近接するような状態でパネル２ａを格納状態にできるようにする。補助レール４２の主レール４１からの分岐点から先端部までの長さは、パネル２ａが格納状態のときの当該分岐点から案内部材１４の位置までの長さと同じもしくはそれより長い長さを有する。補助レール４２のレール開口２４は、主レール４１のレール開口２４と繋がっており、主レール４１のレール開口２４から分岐している。
【００４３】
主レール４１と補助レール４２の連結位置は、パネル２ａが閉状態にあり、出入口４を閉扉しているときにおける係合部１４ａの位置である。連結位置におけるレール開口２４は、Ｌ字の角部であることから、主レール４１の主レール開口としてのレール開口２４および補助レール４２の補助レール開口としてのレール開口２４よりも開口が大きくなり、弾性体で突出方向に付勢されている係合部１４ａがしっかりと係合する被係合部１４ｂとなる。被係合部１４ｂの位置は、主レール４１のレール開口２４から補助レール４２のレール開口２４が分岐する分岐点である。なお、被係合部１４ｂは、同位置に、係合部１４ａがしっかりと係合するようにレール開口２４が成形されていてもよい。例えば、被係合部１４ｂは、レール開口２４の開口幅よりも大きい直径の円形孔を同位置にレール開口２４と重ねて成形してもよい。
【００４４】
被係合部１４ｂの位置が案内部材１４がパネル２ａを閉状態に保持する保持位置である。そして、案内部材１４は、被係合部１４ｂに係合部１４ａが係合することで、パネル２ａの回転を規制し、閉状態に維持する。係合部１４ａは、被係合部１４ｂから外れて主レール４１のレール開口２４または主レール４１のレール開口２４から分岐する補助レール４２のレール開口２４に移動するとき、レール片２５に押されて、若干沈む。そして、係合部１４ａは、主レール４１のレール開口２４および補助レール４２のレール開口２４に弱く係合しながら、各レール開口２４を移動する。
【００４５】
なお、パネル２ｂ，２ｃも、横框１２ｃのランナ５よりも縦框１２ａ側に案内部材１４を備えている。パネル２ｂ，２ｃの案内部材１４において、係合部１４ａは、主レール４１のレール開口に構成された被係合部１４ｂに係合し、パネル２ｂ，２ｃの回転を規制し、閉状態に維持する。
【００４６】
次に、第２実施形態における間仕切り１の作用について説明する。
パネル２ａが出入口４を閉扉している状態において、パネル２ａは、案内部材１４の係合部１４ａが被係合部１４ｂに係合し、閉状態が維持されている。そして、パネル２ｂ，２ｃも、パネル２ａと同様な状態にあって、パネル２ａと同一平面上に一列に並んだ閉状態にある。また、パネル２ｂ，２ｃも、係合部１４ａがレール開口２４に係合することによって、当該閉状態が維持されている。
【００４７】
出入口４を開扉するには、パネル２ａにおいて、ランナ５の位置、すなわち横方向の中央位置よりも縦框１２ａ，１２ｂの何れか一方に偏った位置を押圧する。図６では、反時計回（矢印Ｄ１方向）り押圧している。すると、パネル２ａにおける案内部材１４の係合部１４ａが被係合部１４ｂから外れる。次いで、パネル２ａがランナ５の支軸１８を中心に矢印Ｄ１方向に回転し始めると、係合部１４ａは、補助レール４２のレール開口２４を端部に向かって進む。これに伴い、パネル２ａのランナ５も矢印Ｄ２方向に進む。そして、図７に示すように、係合部１４ａが補助レール４２の先端部に至ると、パネル２ａは、格納状態となり、出入口４が開扉した状態となる。このとき、パネル２ａのランナ５も主レール４１の補助レール４２の端部に至る。
【００４８】
なお、パネル２ｂ，２ｃを格納する場合は、手動で矢印Ｄ１方向または反矢印Ｄ１方向に回転し、係合部１４ａを主レール４１のレール開口２４から外し、次いで、矢印Ｄ２方向にパネル２ａと重なるまで移動させることになる。これにより、壁面６ａと平行に、パネル２ａ〜２ｃが重なった状態で格納されることになる。
【００４９】
出入口４を閉扉するには、パネル２ａを反矢印Ｄ１方向に回転する。すると、パネル２ａにおける案内部材１４の係合部１４ａは、補助レール４２の先端部から主レール４１の方向、すなわちレール開口２４の被係合部１４ｂの方向に移動し始める。また、ランナ５は、反矢印Ｄ２方向に直進する。すなわち、パネル２ａは、反矢印Ｄ１方向に回転しながら反矢印Ｄ２方向に移動する。そして、パネル２ａは、パネル２ｂ，２ｃと同一平面を構成するように一列に並んだ閉状態となり、出入口４を閉扉する。閉状態は、係合部１４ａが被係合部１４ｂに係合することによって維持される。
【００５０】
なお、パネル２ｂ，２ｃが反矢印Ｄ２方向の壁面６ａに平行に移動された状態にある場合、パネル２ａは、反矢印Ｄ２方向にも移動可能である。この場合、パネル２ａは、ランナ５および案内部材１４に案内されて反矢印Ｄ２方向に移動されることになる。
【００５１】
以上のように、パネル２ａを矢印Ｄ２方向に格納する場合、ランナ５は、主レール４１を移動し、案内部材１４は、主レール４１上に位置する被係合部１４ｂから補助レール４２の先端部まで移動する。また、パネル２ａを反矢印Ｄ２方向に移動する場合、ランナ５および案内部材１４は、主レール４１を移動する。このように、パネル２ａのランナ５は、主レール４１のみを移動可能であるが、案内部材１４は、主レール４１および補助レール４２を移動可能である。
【００５２】
以上、上記第２実施形態によれば、以下に記載する効果が得られる。
（２−１）出入口４を開扉する場合、操作者は、パネル２ａを押して支軸１８を中心に回転させる操作だけで、パネル２ａが自ずと矢印Ｄ２方向に移動され格納状態とされる。すなわち、パネル２ａを矢印Ｄ２方向に移動させる操作が不要となる。したがって、出入口４を開扉する際の操作性を向上することができる。
【００５３】
（２−２）案内部材１４は、主レール４１を移動する際の案内をランナ５と共に行うことができる。そして、パネル２ａを格納するため矢印Ｄ１方向に回転する際、補助レール４２に対する案内も行うことができる。
【００５４】
（２−３）ランナ５は、主レール４１専用の案内部材とすることができる。
（２−４）案内部材１４は、係合部１４ａが被係合部１４ｂに係合することで、閉状態に保持することができる。
【００５５】
なお、上記第２実施形態は、以下のように変更して実施することもできる。
・第２実施形態では、パネル２ａを補助レール４２を使って格納状態にする例を説明したが、さらに、図８に示すように、パネル２ｂを格納状態にする補助レール４３を設けるようにしてもよい。さらに、パネル２ｃを格納状態にする補助レール４４を設けるようにしてもよい。
【００５６】
この場合、パネル２ｂについては、パネル２ｂの案内部材１４を補助レール４３の位置まで主レール４１に沿って移動させる。次いで、パネル２ａと同様、操作者は、パネル２ｂを押して支軸１８を中心に回転させる。これにより、パネル２ｂは自ずと矢印Ｄ２方向に移動されパネル２ａと重なった格納状態とされる。また、パネル２ｃについてはパネル２ｃの案内部材１４を補助レール４４の位置まで主レール４１に沿って移動させる。次いで、パネル２ａ，２ｃと同様、操作者は、パネル２ｃを押して支軸１８を中心に回転させる。これにより、パネル２ｃは自ずと矢印Ｄ２方向に移動されパネル２ｂと重なった格納状態とされる。
【００５７】
・図９に示すように、第２実施形態において、パネル２ａには、第１実施形態のように滑車２８、ウェイト３１およびワイヤ３２の構成を加えるようにしてもよい。このような構成によれば、パネル２ａを押す操作だけで、後は、ウェイト３１による荷重によって、パネル２ａが案内部材１４によって補助レール４２での移動が案内されながら自ずと矢印Ｄ２方向に移動され、格納状態とされる。
【００５８】
・案内部材１４の係合部１４ａが係合する被係合部１４ｂは設けられていなくてもよい。この場合、係合部１４ａを被係合部１４ｂから外すことが不要となり、弱い操作力でパネル２ａを矢印Ｄ１方向に回転し、係合部１４ａを補助レール４２のレール開口２４に沿って進めることができる。
【００５９】
・補助レール４２の構成は、パネル２ｃの側に設けてもよいし、パネル２ａとパネル２ｃの両方に設けてもよい。補助レール４２の構成をパネル２ｃの側に設けたときには、パネル２ｃの位置も出入口として利用することができる。
【００６０】
・間仕切り１は、下部レールを備えていてもよい。この場合、パネル２ａ〜２ｃには、下部レールに沿って走行する下部ランナが設けられる。パネル２ａ〜２ｃの荷重は、ランナ５、下部ランナの何れか一方または両方によって支持されることになる。そして、補助レール４２の構成は、パネル２ａの下部ランナが走行する下部レールに設けても同様な作用効果を得ることができる。
【００６１】
・格納状態におけるパネル２ａ〜２ｃの壁部６の壁面に対する角度は、壁面に平行ではなく、壁面に対して９０°以下の傾きを有していてもよく、例えば、壁面に対して若干の傾きを有していてもよい。傾きは、補助レール４２の主レール４１に対する傾きを変更することによって、制御することができる。
【００６２】
なお、上記第１および第２実施形態は、以下のように変更して実施することもできる。
・第１実施形態および第２実施形態の間仕切りは、折引戸にも適用可能である。この場合、パネル２ａとパネル２ｂとの間、および、パネル２ｂとパネル２ｃとの間は、蝶番によって連結される。
【００６３】
・間仕切り１において、パネルの枚数は１枚であってもよいし、２枚であってもよいし、４枚以上であってもよい。
【符号の説明】
【００６４】
１…間仕切り、２ａ〜２ｃ…パネル、３…上部レール、４…出入口、５…ランナ、６…壁部、６ａ…壁面、１１…パネル板、１２ａ…縦框、１２ｂ…縦框、１２ｃ…横框、１３…ラッチ部材、１３ａ…ラッチ部、１４…案内部材、１４ａ…係合部、１４ｂ…被係合部、１６…ランナ本体、１７…車輪、１８…支軸、１９…軸保持部材、２１…前壁、２２…後壁、２３…上壁、２４…レール開口、２５…レール片、２６…壁面框、２７…空間部、２８…滑車、３１…ウェイト、３２…ワイヤ、４１…主レール、４２…補助レール、４３…補助レール、４４…補助レール。
【図１】
2020197063.tif 000003
【図２】
2020197063.tif 000004
【図３】
2020197063.tif 000005
【図４】
2020197063.tif 000006
【図５】
2020197063.tif 000007
【図６】
2020197063.tif 000008
【図７】
2020197063.tif 000009
【図８】
2020197063.tif 000010
【図９】
2020197063.tif 000011